(57)【要約】【課題】複数画像間で各部の位置関係を容易に把握できるようにしながら、簡単な操作で、複数画像の比較・観察ができるように改善する。【解決手段】ＰＥＴ画像データとＣＴ画像データとをＣＰＵ１１に取り込み、画像処理ユニット１５で処理することにより、それらの画像の位置およびサイズを整えた上で、それらを重ね合わせ合成してフュージョン画像を作成し、その画像データを画像メモリ１４に格納するとともに画像表示装置１７に送って所定のウインドウ上にフュージョン画像を表示する。上記の位置・サイズの整えられた画像のデータは画像メモリ１２、１３に格納されており、キーボード１６の特定のキーが押されると、それらの画像データが読み出されて、その押されている間だけ、同じウインドウに、フュージョン画像に代わって、元のフュージョン画像に重なるように、ＰＥＴ画像またはＣＴ画像が表示される。【選択図】図１
2006110208.tif 000002
【特許請求の範囲】
【請求項１】
比較対象となっている複数の医用画像データを保持する画像データ保持手段と、画面上に少なくとも一つの医用画像表示領域を有し、この領域に上記の保持された医用画像データによる医用画像を表示する画像表示手段と、入力手段と、あらかじめ定めた入力手段の操作がなされている間、上記画像表示手段における医用画像表示領域に表示されている比較対象の一方の医用画像を、比較対象の他方の医用画像に切り換えて表示するとともに、上記の操作が終了したときには元の医用画像の表示状態に戻るように制御する制御手段とを有することを特徴とする医用画像表示装置。
【発明の詳細な説明】
【技術分野】
【０００１】
この発明は、核磁気共鳴映像装置（ＭＲＩ装置）やＸ線ＣＴ装置あるいはポジトロンＣＴ装置（ＰＥＴ装置）などの種々の医用画像撮像装置で得たさまざまな医用画像データを取り込んで表示する医用画像表示装置に関する。
【背景技術】
【０００２】
医学的な診断を行うため、一人の患者の同一部位についてＭＲＩ装置やＸ線ＣＴ装置あるいはポジトロンＣＴ装置（ＰＥＴ装置）などで撮像し、これらのＭＲ画像、ＣＴ画像、ＰＥＴ画像等を比較・観察することはきわめて有効であり、現にさかんに行われている。たとえば、ＣＴ画像とＰＥＴ画像とを合成したフュージョン画像と元のＣＴ画像とを比較している。また、造影剤の有無の各場合に撮像したＸ線画像の比較・観察や、術前術後での画像の比較や、定期検査で得た各画像の比較などもよく行われている。
【０００３】
これら、関連する２つ以上の画像を比較・観察しようとする場合、たとえば下記特許文献１に示すように、画像モニター装置などの画像表示装置において、その画面上で複数のウインドウ（表示領域）を設けてその各々に一つずつ画像を配置するというようにして、画面のなかで並べて表示するのが一般的である。
【特許文献１】特開平６−３３９４６７号公報
【０００４】
しかし、このように比較対象となっている複数画像を画像表示装置の画面上に並べて表示する場合、たとえば比較したい画像が隣接していても、視線の移動は避けられない。特定の位置にある病巣が複数画像のそれぞれでどのように撮影されているかを観察し、一方の画面に現れている病巣が他方の画像でどうなっているかを知りたい場合などには、一つの画像のある位置が他方の画像のどの位置に相当するかを考えながら、視線を動かさなければならない。特定の位置がどこであるかは目視では厳密には判別しがたい場合もあり、画面に定規を当てて位置を探すことなども行われているが、きわめて面倒な作業である。また、画面上に複数の画像を並べて表示するには、広い表示スペースを必要とし、たとえ大画面の画像モニター装置を用いたとしてもそのサイズには限りがあるため、各々の画像のサイズが制限され、大きく表示できないことから観察がしずらいという問題も避けられない。
【発明の開示】
【発明が解決しようとする課題】
【０００５】
この発明は、きわめて簡単な操作で、比較対象となっている複数の医用画像を同じ表示領域に切換表示できるようにして、視線の移動や特定位置の探索の問題を解決した、医用画像表示装置を提供することを課題とする。
【課題を解決するための手段】
【０００６】
上記の目的を達成するため、請求項１記載の発明による医用画像表示装置においては、比較対象となっている複数の医用画像データを保持する画像データ保持手段と、画面上に少なくとも一つの医用画像表示領域を有し、この領域に上記の保持された医用画像データによる医用画像を表示する画像表示手段と、入力手段と、あらかじめ定めた入力手段の操作がなされている間、上記画像表示手段における医用画像表示領域に表示されている比較対象の一方の医用画像を、比較対象の他方の医用画像に切り換えて表示するとともに、上記の操作が終了したときには元の医用画像の表示状態に戻るように制御する制御手段とが備えられることが特徴となっている。
【発明の効果】
【０００７】
請求項１記載の医用画像表示装置によれば、比較対象となっている複数の医用画像データが保持され、これらのデータにより、画面上の表示領域にその医用画像の表示がなされる。そして比較対象の一方の医用画像が表示されているときに、あらかじめ定めた入力手段の操作がなされると、その操作がなされている間だけ、比較対象の他方の医用画像がその表示領域に表示される。そのため、たとえばキーボードの特定のキーを押したときだけ、同じウインドウで画像が切り換って表示されることになる。同じウインドウでの表示切換なので、視線の動きはない。また、比較対象の複数の医用画像は同じウインドウにおいて切換表示され、位置的に重なるので、一方の画像での特定の位置が他方の画像でどこに相当するかは一目瞭然である。そのため比較対照したい医用画像どうしで位置の関連付けが容易である。さらに画像を並べて表示せず、時間的に切り換えて表示するので、大きな表示スペースを必要としないで、医用画像の大きなサイズでの表示ができる。
【発明を実施するための最良の形態】
【０００８】
つぎに、この発明を実施した医用画像表示装置について図面を参照して説明する。
【実施例】
【０００９】
図１は、この発明の一実施例にかかる医用画像表示装置のブロック図である。医用画像表示装置は、この図１に示すように、ＣＰＵ１１と、複数の（ここでは３つの）画像メモリ１２、１３、１４と、画像処理ユニット１５と、入力装置であるキーボード１６と、画像モニター装置などの画像表示装置１７を備えている。
【００１０】
ＰＥＴ装置やＸ線ＣＴ装置で撮影したＰＥＴ画像データやＣＴ画像データなどが、ネットワークなどを介して、あるいはＭＯディスク、ＤＶＤディスクなどの持ち運び可能なメディアを介して、ＣＰＵ１１に取り込まれ、画像メモリ１２、１３にそれぞれ格納される。この例では、これらの画像データを画像メモリ１２、１３から読み出して画像処理ユニット１５によりフュージョン画像を作成する。
【００１１】
そのため、まずキーボード１６の操作によってＣＰＵ１１においてフュージョン処理のためのアプリケーションを起動させ、ＣＰＵ１１による画像メモリ１２、１３の読み出し制御と画像処理ユニット１５の制御とが行われるようにする。読み出されるＰＥＴ画像データとＣＴ画像データは同じ患者の同じ部位に相当するものが選ばれ、これらが画像処理ユニット１５においてサイズおよび位置合わせされた後、画像メモリ１２、１３に格納されるとともに、これらを重ね合わせ合成する処理が行われる。その結果得られたフュージョン画像が画像メモリ１４に格納されるとともに医画像表示装置１７のディスプレイ画面上に表示される。
【００１２】
たとえば、図２の（ａ）に示すようにこのディスプレイ画面２１には一つのウインドウ２２が設けられていて、このウインドウ２２のなかにフュージョン画像２３が表示されることになる。このとき、操作者（観察者）がキーボード１６の特定のキーたとえば「Ｃ」キーを押すと、このフュージョン画像を作成する元となったＣＴ画像データが画像メモリ１３から読み出されて、この同じウインドウ２２に、図２の（ｂ）に示すように、フュージョン画像２３に代わって、かつフュージョン画像２３と同じ位置にＣＴ画像２４が表示される。この「Ｃ」キーを押している間はＣＴ画像２４の表示が行われ、「Ｃ」キーの押下をやめれば再び図１（ａ）のようにフュージョン画像２３が表示される。したがって、「Ｃ」キーの押下・解放を繰り返すことにより、同一部位で同一サイズのフュージョン画像とＣＴ画像が同じ位置に繰り返し現れるので、これらの画像の各位置での対応関係は容易にとらえることができる。
【００１３】
また、たとえば「Ｐ」キーを押したとき、同じウインドウ２２内にフュージョン画像２３に代わってＰＥＴ画像が表示されるようにもできる。この場合も、フュージョン画像を作成する元となったＰＥＴ画像のデータは画像メモリ１３に格納されており、このＰＥＴ画像は、フュージョン画像を構成するために位置およびサイズが調整されたものとなっているので、そのまま画像メモリ１３から読み出して画像表示装置１７に送るだけでよい。
【００１４】
また、図３の（ａ）に示すように、ディスプレイ画面２１に多数（この場合４つ）のウインドウ２２を設けてその各々に異なる部位（スライス位置）のフュージョン画像２３を表示させるマルチウインドウ表示も可能で、この場合に、上記と同様に「Ｃ」キーを押すと、それが押された期間だけ、４つのウインドウ２２の全部において、フュージョン画像２３からＣＴ画像２４へと表示画像が切り換えられる。この「Ｃ」キーの押下をやめれば、元のフュージョン画像２３が表示された状態に戻る。また、「Ｐ」キーを押したときに４つのウインドウ２２の全部でＰＥＴ画像の表示に切り換るようにすることもできる。したがって、一つのキー操作だけで４つのウインドウ２２のすべての表示が切り換ることになるので、操作がきわめて容易になる（従来であれば、通常、多数のウインドウ２２の一つずつにフォーカスを移して表示画像を切り換える操作が必要となって、非常に多くの操作をしなければならない）。
【００１５】
なお、ここでは、ＰＥＴ画像データとＣＴ画像データとを取り込み、これらからフュージョン画像を作成し、このフュージョン画像とそれの元となったＣＴ画像ないしＰＥＴ画像とを切換表示するようにしたが、他の比較対照したい医用画像についても同様に切換表示することができる。たとえば、Ｘ線ＣＴ装置を用いて単純撮像および造影撮像をした場合、単純画像と造影画像との比較だけでなく、造影画像と単純画像との差分画像とを比較することがある。造影画像は異なるフェーズ（撮像時刻）で撮像した複数のものであることもあり、そのなかから選んだ特定のフェーズの造影画像と、単純画像と、これらの差分画像との３種類の画像を比較・観察したい場合、差分画像が表示された状態で「Ｎ」キーを押せばその押した間だけ単純画像が表示され、「Ｅ」キーを押した状態では造影画像が表示され、これらのキーの押下をやめれば差分画像が表示された状態に戻る、というようにできる。
【００１６】
また、Ｘ線ＣＴ装置により短い時間間隔で造影撮像を行い、多数のＣＴ画像を得て、それら画像における画素ごとの時間軸方向の画素値変化よりＣＢＦ、ＣＢＶ、ＭＴＴなどの機能パラメータを求め、これらのパーフュージョン画像を作成する場合は、ＣＢＦ画像が表示された状態で「Ｖ」キーを押せばその押した間だけＣＢＶ画像が表示され、「Ｍ」キーを押した場合にはそれが押されている間だけＭＴＴ画像が表示され、押下をやめればＣＢＦ画像が表示された状態に戻る、というようにして切換表示しながら、これら複数の機能画像の間の比較・観察ができる。
【００１７】
さらにＸ線ＣＴ装置により隣接した多数のスライス面での断層画像を撮像すれば、それらの多数の画像から３Ｄ（３次元）画像を作成できるが、この場合でも画像の比較に有効である。この３Ｄ画像作成では、同じ視点から閾値やカラーマップを変えることにより、たとえば頭部において、骨の部分だけを白色で表した３Ｄ画像、動脈血管を赤色で表した３Ｄ画像および静脈血管を青色とした３Ｄ画像を得るとともに、これら３種類の画像を合成した３Ｄ画像を得ることができる。この場合、３種類の画像を合成した３Ｄ画像が表示された状態で、「Ｂ」キーを押したときその押した間だけ骨の３Ｄ画像が表示され、「Ａ」キーを押したときにはその押した間だけ動脈の３Ｄ画像が表示され、「Ｖ」キーを押したときにはその押した間だけ静脈の３Ｄ画像が表示され、キーの押下をやめれば元の３種類の画像の合成３Ｄ画像の表示状態に戻る、というようにして、これらの画像の間の比較・観察を有効に行うことができる。
【００１８】
このように各種の画像を同じウインドウに位置的に重なるようにして２つの（またはそれより多い）画像を切換表示するため、それらの画像どうしで位置およびサイズが合致していることが望ましい。そのため画像の位置やサイズが一致していないならばそれらを合わせるような処理をあらかじめ画像処理ユニット１５で行っておき、それら処理後の画像データをいつでも取り出せるように画像メモリ１２〜１３などに格納しておく。たとえば、造影剤の有り・無しで撮像したＸ線画像の比較・観察や、術前術後での画像の比較や、定期検査で得た各画像の比較の場合には、比較したい画像どうしのサイズや位置が異なっていることもあるため、あらかじめ画像処理ユニット１５で位置・サイズを合わせる処理を行い、画像メモリ１２〜１４などに格納しておくことになる。
【００１９】
これらの画像メモリ１２〜１４は個別のものとして表現しているが、一つの画像メモリの各記憶領域を使うこともできるし、ＣＰＵ１１に備えられたメモリを用いてもよい。また、画像処理ユニット１５も独立したハードウェアとして構成するだけでなく、ＣＰＵ１１によって処理するものとして、つまり画像処理ソフトウェアによってＣＰＵ１１が処理するよう、構成することも可能である。
【００２０】
各ウインドウ２２における表示画像を切り換えるために操作する特定のキーについては、あらかじめ自由に設定できるようにしておくことが望ましい。そのためにはＣＰＵ１１にキー設定プログラムを組み込んでおけばよい。キーボード１６上のキーだけでなく、なんらかの操作可能なスイッチ類を指定することができるようにしてもよいし、マウスのボタンに指定することができるようにしてもよい。
【００２１】
さらに、この医用画像表示装置は、ＰＣやワークステーションに上記の機能を実現するソフトウェアを走らせることにより実現可能であるが、ＰＥＴ装置やＸ線ＣＴ装置などの種々の医用画像撮像装置にに同様なソフトウェアを組み込んで実現することもできる。その他、具体的な構成などは、この発明の趣旨を逸脱しない範囲で、種々に変更可能である。
【産業上の利用可能性】
【００２２】
この発明の医用画像表示装置によれば、きわめて簡単な操作で、比較対照したい複数の医用画像を同じウインドウ上に切換表示することができ、それらの画像が位置的に重なるようにして切り換えられるので、画像の各部の位置の対応関係を直截的にとらえることができ、比較観察が容易になる。
【図面の簡単な説明】
【００２３】
【図１】この発明の一実施例にかかる医用画像表示装置のブロック図。
【図２】画像が切換表示される一つの例を示すディスプレイ画面の図。
【図３】他の切換表示例を示すディスプレイ画面の図。
【符号の説明】
【００２４】
１１…………………………ＣＰＵ
１２、１３、１４…………画像メモリ
１５…………………………画像処理ユニット
１６…………………………キーボード
１７…………………………画像表示装置
２１…………………………ディスプレイ画面
２２…………………………ウインドウ
２３…………………………フュージョン画像
２４…………………………ＣＴ画像
【図１】
2006110208.tif 000003
【図２】
2006110208.tif 000004
【図３】
2006110208.tif 000005